(57)【特許請求の範囲】
【請求項１】
磁気ディスクの回転中心を成すスピンドルと、該スピンドルの外周に軸受を介して取り付けられるスピンドルハブと、該スピンドルハブの外周に搭載される磁気ディスクと、前記スピンドルハブを回転駆動することにより磁気ディスクの回転を行うスピンドルモータと、前記磁気ディスク上に配置される磁気ヘッドと、該磁気ヘッドを弾性的に支持するサスペンションと、該サスペンションを一端に支持し、軸受を介したピポットシャフトを回転中心として回転するキャリッジと、該キャリッジの他端に取り付けられ、キャリッジをピポットシャフトを中心として回転駆動するロータリモータと、これらを制御する電気回路基板と、これら機構回路を支持するベースと、該ベース上の機構回路を密閉するカバーと、前記スピンドル、前記ピボットシャフトを支持するハウジングとを備える磁気ディスク装置において、
前記磁気ディスク装置の平面図上、前記ハウジングが前記磁気ディスクの周囲の一部を取り囲むよう形成され、前記スピンドルと前記ピボットシャフトとの間に対応する当該周囲の一部で、前記磁気ヘッドに近い方に位置するハウジングの一部であって、前記ベースと前記カバーとの間を支える第１の補強部材を為すものと、
前記ベース及びカバーに接してベースとカバー間を支えるスピンドルと、
前記第１の補強部材の近傍に設けられたピンであって、当該第１の補強部材と、前記スピンドルの回転中心と、当該ピンにより前記磁気ディスク装置の平面図上に想定される三角形が前記磁気ヘッドの移動軌跡を含むような位置に当該ピンとを設け、
前記第１の補強部材前記ピン並びに前記スピンドルがカバーと接することにより前記磁気ヘッドの移動軌跡上のカバーの変形を防止することを特徴とする磁気ディスク装置。
【発明の詳細な説明】
【０００１】
【発明の属する技術分野】
本発明は、小型薄型の磁気ディスク装置に係り、特に使用者の取扱による磁気ヘッド及び磁気ディスクの破損を防止することができる磁気ディスク装置に関する。
【０００２】
【従来の技術】
近年の磁気ディスク装置は、年々記憶密度及び容量が増し、その使用用途は従来の大型記録装置やデスクトップ型パソコン用記録装置に留まらず、例えばノート型パソコンやこれよりサイズの小さい携帯端末機に使用されている。特に最近では、ＰＣカード寸法と呼ばれる従来のＩＣメモリカードやカード型モデム程度のカード寸法の磁気ディスク装置が提案され、必要に応じてノートパソコンや携帯端末機のＰＣカードスロットに使用者が任意に抜き差しして使用するものが提案されている。
【０００３】
このＰＣカードは、本来ＩＣメモリカードを挿入する規格として定められているもので、例えば縦（長辺）８５．６ｍｍ±０．２ｍｍ，横（短辺）５４．０ｍｍ±０．１ｍｍと標準化され、基体部の厚さが３．３ｍｍ±０．１ｍｍのものがタイプＩ、基体部の厚さが５．０ｍｍ以下且つ±０．２ｍｍのものがタイプＩＩとしてＪＥＩＤＡ（Japan Electronics Industry Development Association）／ＰＣＭＣＩＡ（Personal Computer Memory Card International Association）により規格化されている。
【０００４】
このＰＣカードサイズの磁気ディスク装置が記載された文献としては、例えば特公平７−６０３５５号公報や国際公開番号ＷＯ９３／１０５３５号公報が挙げられる。この国際公開公報の文献には、磁気ディスク装置の変形を防止するために装置のベースとカバー間をスピンドル及びアクチュエータの中心軸によって支えることが記載されている。
【０００５】
【発明が解決しようとする課題】
前述のＰＣカード寸法の磁気ディスク装置においては、ＰＣカードスロットに挿入して使用している時には変形の可能性は少ないものの、使用者がノートパソコン等のＰＣカードスロットへ抜き差しする際に薄いカバーを使用者が把持して該カバーを変形させ、このカバー変形により内部の磁気ヘッドを磁気ディスクに押し付けて、これら磁気ヘッド及び磁気ディスクを破損する可能性があると言う不具合があった。また同様にＰＣカード寸法の磁気ディスク装置の挿抜時／携帯等の取扱時に、使用者が薄いカバーをＯＡ機器の角にぶつけるなどすることによって、カバーやベースを変形して内部の磁気ヘッドを磁気ディスクに押し付けて、これら磁気ヘッド及び磁気ディスクを破損する可能性があると言う不具合があった。
【０００６】
前述の国際公開公報記載の磁気ディスク装置においてもスピンドル及びアクチュエータの中心軸がベースとカバー間を支えることにより変形を防止する旨が記載されているが、使用者がカバーのスピンドル中心から離れた位置をお押さえ付けてカバーを変形した場合、この変形によって磁気ディスク内周側近傍に停止時に通常位置している磁気ヘッドをも押さえつけ、やはり磁気ヘッド及び磁気ディスク、ひいてはデータの損失を招くと言う不具合があった。
【０００７】
従ってＰＣカード寸法の磁気ディスク装置では、小型／薄型なためハウジングやカバーなどの部品の肉厚も薄くさぜるおえず、このため使用者の取扱によってはカバーが変形して磁気ヘッド及び磁気ディスクを破損する可能性が大きいと言う不具合があった。具体的に述べると１．８インチ，装置厚５ｍｍ以下のＴｙｐｅ（II）の磁気ディスク装置を考えた場合、カバー／ハウジング厚を他の機構厚による制限によって約０．４ｍｍ程度に薄くする必要があり、スライダとカバー／ハウジングの実装隙間も約０．４ｍｍになってしまうため、使用者が装置を端末機に挿入する際に装置中央を強く持った場合、薄いカバーが変形して磁気ヘッド及び磁気ディスクを破損する可能性が大きいと言う不具合があった。また磁気ディスク装置のユーザにとっても、前述した破損可能性が高い装置の保管や挿入及び取り出し時の取扱が不便であり、使い勝手が悪いと言う不具合もあった。
【０００８】
尚、前述した磁気ヘッドが装置停止時に磁気ディスク内周側近傍に位置している理由は、1)磁気ヘッドと磁気ディスクが粘着している場合でも磁気ヘッドが磁気ディスク内周側に位置している方が小さい起動トルクで回転ができる様に起動トルクを確保するため、及び2)磁気ヘッドをデータエリアを外して磁気ディスクの最内周にロックしておく構造をとることにより衝撃力が作用しヘッドが跳ね上がり、磁気ディスクを叩き損傷を与えたとしても軽微であれば、浮上／着陸用のＣＳＳゾーンとして使用でき、耐衝撃特性を向上するためである。
【０００９】
本発明の目的は、前述の従来技術による不具合を除去することであり、小型薄型であっても少なくともカバーの変形を防止して磁気ヘッド及び磁気ディスクの破損を防止することができる磁気ディスク装置を提供することである。本発明の他の目的は、磁気ヘッド及び磁気ディスクの破損を防止して信頼性の高い、取扱が容易な、使用者の使い勝ってを向上した磁気ディスク装置を提供することである。
【００１０】
【課題を解決するための手段】
前記目的を達成するために本発明は、磁気ディスクの回転中心を成すスピンドルと、該スピンドルの外周に軸受を介して取り付けられるスピンドルハブと、該スピンドルハブの外周に搭載される磁気ディスクと、前記スピンドルハブを回転駆動することにより磁気ディスクの回転を行うスピンドルモータと、前記磁気ディスク上に配置される磁気ヘッドと、該磁気ヘッドを弾性的に支持するサスペンションと、該サスペンションを一端に支持し、軸受を介したピポットシャフトを回転中心として回転するキャリッジと、該キャリッジの他端に取り付けられ、キャリッジをピボットシャフトを中心として回転駆動するロータリモータと、これらを制御する電気回路基板と、これら機構回路を支持するベースと、該ベース上の機構回路を密閉するカバーとを備える磁気ディスク装置において、前記磁気ディスク上を移動する磁気ヘッドの移動軌跡近傍上のカバーの変形を防止する変形防止手段を設けたことを第１の特徴とする。
【００１１】
また本発明は、磁気ディスクの回転中心を成すスピンドルと、該スピンドルの外周に軸受を介して取り付けられるスピンドルハブと、該スピンドルハブの外周に搭載される磁気ディスクと、前記スピンドルハブを回転駆動することにより磁気ディスクの回転を行うスピンドルモータと、前記磁気ディスク上に配置される磁気ヘッドと、該磁気ヘッドを弾性的に支持するサスペンションと、該サスペンションを一端に支持し、軸受を介したピボットシャフトを回転中心として回転するキャリッジと、該キャリッジの他端に取り付けられ、キャリッジをピボットシャフトを中心として回転駆動するロータリモータと、これらを制御する電気回路基板と、これら機構回路を支持するベースと、該ベース上の機構回路を密閉するカバーとを備える磁気ディスク装置において、前記磁気ヘッドの移動軌跡を磁気ディスク外周側に延長した箇所近傍に設けられ、ベースとカバー間を支える第１の補強部材と、前記カバーに接してベースとカバー間を支えるスピンドルとを設け、前記第１の補強部材とスピンドルが磁気ディスク上を移動する磁気ヘッドの移動軌跡近傍上のカバーの変形を防止する様に構成したことを第２の特徴とする。
【００１２】
更に本発明は、第２の特徴による磁気ディスク装置において、第１の補強部材の近傍、且つ磁気ヘッドの移動軌跡の円弧頂点を延長した磁気ディスク外周位置に第２の補強部材とを設け、前記第１及び第２の補強部材並びにスピンドルのカバーと接する３点が、磁気ヘッドの移動軌跡上のカバーの変形を防止する様に構成したことを第３の特徴とする。
【００１３】
また本発明は、第３の特徴による磁気ディスク装置において、キャリッジの回転中心となるピボットシャフトがベース及びカバーに接してベースとカバー間を支えること、前記ロータリモータの上面がカバーと接してカバーの変形を防止すること、前記電気回路基板の上部及びカバーに接してカバーの変形を防止する第３の補強部材を設けることを第４の特徴とし、第４の特徴による磁気ディスク装置において、前記磁気ディスクの外周位置でベース及びカバーに接してベースとカバー間を支えることにより、カバーの変形を防止する第４の補強部材を設けたことを第５の特徴とする。
【００１４】
【発明の実施の形態】
以下、本発明の一実施形態を図面を参照して詳細に説明する。図１は、本実施形態による磁気ディスク装置の平面断面（ａ）及び該（ａ）図におけるスピンドル軸を通るＢ−Ｂ断面を示す側面断面図、図２は、図１のＡ−Ａ断面を示す側断面図、図３は図２左側の一部拡大図、図４は図２右側の一部拡大図、図５は図１のＣ−Ｃ断面図、図６は本発明の他の実施形態による磁気ディスク装置の平面断面図である。また図３〜図４は、図２に示した装置横断面が細かく理解を容易にするために分割して拡大した図であり、図２中のイ部分が図３、ロ部分が図４に相当している。また図２及び図３中の断面を示すハッチングは、本来断面部分全て表記するものであるが、理解を容易にするために本実施形態のポイント部分のみに表記している。
【００１５】
さて、本発明の一実施形態による磁気ディスク装置は、データを記録する磁気ディスク２と、該磁気ディスク２の内径に嵌合して積層一体化し回転自在なスピンドルハブ３と、該ハブ３に磁気ディスク２を固定するためのディスククランプ４（図２，３参照）と、スピンドルハブ３の下端に配置され、該ハブ３を軸受６によりスピンドルシャフト７に対して回転駆動するスピンドルモータ５（図２，３参照）と、磁気ディスク２へ磁気記録データの書込／読取を行う磁気ヘッド８と、該磁気ヘッド８を弾性的に支持するサスペンション９と、該サスペンション９を支持し、ピボットシャフト１７を中心として回転自在に支持するキャリッジ１０と、該キャリッジ１０の磁気ヘッド２と反対側に配置され、該キャリッジ１０を回転駆動するロータリモータ（構成は後述）と、磁気ヘッド８により記録再生する微弱な電気信号を転送するリード線３７と、該ロータリモータへ給電すると共に該リード線３７を介した電気信号を転送するためのＦＰＣ（フレキシブルプリント基板）１８と、前記スピンドルモータ５へ給電するためのＦＰＣ１９と、前記電気機構部品を制御するためのＩＣ２２（図２，３参照）及びＩＣ７０と、該ＩＣ７０にＦＰＣ１９を接続するコネクタ２０（フレキシブル導電性コネクタ）と、これらコネクタや回路の上部に配置された押さえ板４１と、前記スピンドルシャフト７及びキャリッジシャフト１７他を装置内部で支持するハウジング２１と、前記機構部品を搭載し、且つ下面のパッケージカバーを構成するベース２５と、該ベース２５の図左端部に取り付けられるＰＣＭＣＩＡコネクタ２６とを備える。また本実施形態による磁気ディスク装置厚は、５ｍｍ以下である。
【００１６】
前記スピンドルモータ５は、図３に示す如く、スピンドルハブ３の下方外周位置に取り付けた永久磁石５３と、該永久磁石５３よりスピンドルハブ３下方の内周位置のハウジング２１に固定された電磁コイル５４とから構成され、該コイル５４に通電することによって電磁的作用によりスピンドルハブ３を回転する様に構成される。特に本実施形態におけるスピンドルシャフト７は、前記カバー２７ー２５に当接し、これらを支持する機能を果たしている。
【００１７】
更に本磁気ディスク装置は、図３及び図１左側に示した如く、ハウジング２１の磁気ディスク２の磁気ヘッド４と反対側に延びたハウジング部分２１ａが、カバー２７と接触し、且つ磁気ディスク２の周囲を覆う様にベース２５にネジ５０によりネジ止めしている。この磁気ディスク２の周囲を覆う左側部分を、図１中に斜線で表した符合３１として示す。更に前記ハウジング２１は、図１の如く、磁気ディスク２の磁気ヘッド４側の一部においてもカバーと接する高さまで突出している。この突出部分を図１に斜線で表した符合３２及び３３として示す。この符合３２及び３３として示す当接部分は、出来るだけ磁気ディスク２に近付けたほうが良く、符合３３で示す当接部分が第１の補強部材を構成する。
【００１８】
また本実施形態による磁気ディスク装置は、図１のＣ−Ｃ断面を示す図５の如く、基板２３とＦＰＣ１８及び１９の間にフレキシブル導電性コネクタ４３を挟み込み、押付け板４１を用いてネジ４２により押し付けていることにより、この回路基板／コネクタ近傍のカバー２７の変形を防止している。この押付け板４１がカバーと接する部分を図１中に斜線で表した符合４２として示され、第３の補強部材に相当する。
【００１９】
またロータリモータは、図４に示す如くキャリッジ１０の磁気ヘッドと反対側に取り付けられた電磁コイル１１と、該電磁コイル１１を上下から挟み込む位置に配置された永久磁石５５とから成り、該コイル１１に通電することによって電磁的作用によりコイル１１を、即ちキャリッジ１０をキャリッジシャフト１７を中心として回転駆動する様に構成される。このロータリモータは、キャリッジシャフト１７の下端をベース２５に当接し、且つキャリッジシャフト１７と嵌合する軸受内輪３５をカバーに当接させることにより、これらシャフト１７と軸受内輪３５が前記カバー２７ー２５に当接して、これらを支持する機能を果たしている。更に該ロータリモータの永久磁石５５は、カバー２７に当接することによってカバーの変形を防止しており、このカバーと接する部分は、図１中に斜線で表した符合３４として示され、第４の補強部材に相当する。
【００２０】
従って本発明の第一の実施形態による磁気ディスク装置は、図１の平面図に示す如く、磁気ディスク２の回転中心となるスピンドルシャフト７，磁気ヘッド４の回転中心となるキャリッジ１０のキャリッジシャフト１７によってカバー２７の変形を防止しているのに加え、図１中の斜線で表した符合３１，３２，３３，３４，４２の箇所がカバー２７と接してカバーの変形を防止している。
【００２１】
このため本実施形態による磁気ディスク装置は、使用者がノートパソコン等のＰＣカードスロットへ抜き差しする際等に薄いカバーを使用者が把持して該カバーを変形させ、このカバー変形により内部の磁気ヘッドを磁気ディスクに押し付けて、これら磁気ヘッド及び磁気ディスクを破損することを防止することができる。特に本実施形態による磁気ディスク装置は、単にスピンドルシャフト及びキャリッジシャフトによってカバー変形を防止するものに比べ、スピンドルシャフト７と符合３３で示したカバー当接部分が、磁気ヘッド４の円弧状移動軌跡近傍上のカバーの変形を防止する変形防止手段を構成するため、磁気ヘッド等の保護に好適である。
【００２２】
図６は本発明の他の実施形態による磁気ディスク装置の平面断面を示す図であり、前述の実施形態との差異は、磁気ディスク２の図６左側の磁気ヘッド４と反対側に延びたハウジング部分２１ａのカバー２７と接触する当接部分３１０を中空に構成していると共に、磁気ディスク２の磁気ヘッド４の移動軌跡Ｘの延長線上近傍にベース（ハウジング）とカバー間に挟まれるピン６０を設けた点であり、他の構成は図１実施形態と同様である。
【００２３】
このピン６０は、例えばカバー２７に溶接／嵌合／ネジ止めされ、磁気ディスク面内に磁気ヘッド４を位置づけた後に、上方からハウジングに当接する様に組み立てるのが好ましい。この理由は、通常の組立工程においては、スピンドルに積層した磁気ディスク及び磁気ヘッドを支持するキャリッジ１０及びロータリモータから成るアクチュエータをベース及びハウジングに取り付けた後、磁気ヘッドを回転させて磁気ディスク間に挿入する工程が必要であり、最初にハウジングにピン６０を設けた場合、前記磁気ヘッドの挿入の邪魔になるためである。但し、複数の磁気ディスクを徐々に組み立てつつ磁気ヘッドの組立も行う組立工程を採用する場合は、最初からハウジングにピンを設ける構成であっても良い。このピン６０が第２の補強部材に相当する。
【００２４】
さて、この様に構成した磁気ディスク装置は、図６の平面図に示す如く、スピンドルシャフト７，キャリッジシャフト１７，斜線で表した符合３１，３２，３３，３４，４２並びにピン６０の箇所がカバー２７と接してカバーの変形を防止することができる。また、本装置は、符合３１０で示した如く、当接部分の周辺部をカバーと当接させ中央付近を肉逃げしたことにより、装置の軽量化も行うことができる。
特に本実施形態による磁気ディスク装置は、スピンドルシャフト７による当接点Ｐ1，ピン６０による当接点Ｐ2，符合３３で示す当接点Ｐ3で示す三角点が磁気ヘッド４の円弧状の移動軌跡Ｘを覆う位置に配置しているため、この三角点により磁気ヘッド４の移動軌跡近傍におけるカバーの変形を効率的に防止し、磁気ヘッドの保護を効率的に行うことができる。
【００２５】
尚、前記実施形態による磁気ディスク装置は、符合３１，３１０，３３，３２，３４，４２で示した斜線部分がカバーと接してカバー変形を防止する例を説明したが、本発明はこれら面接触による構造に限られるものではなく、例えば複数のピンを磁気ディスク２の周囲に設けて符合３１，３１０等と同様に変形を防止するものであっても良い。他の当接部分も同様である。
【００２６】
更に、カバー又は、カバーとの当接部分にゴムなどの弾性部材／樹脂などを介して当接させると、当接箇所からの発塵を防止し信頼性を向上させたり、装置の騒音レベルを下げて改善する効果も期待できる。また当接部分は、前記の位置や構造にこだわる必要はなく、組立時のスライダの磁気ディスク上へのヘッドローディングスペースを確保でき、ＦＰＣ１８及び１９のルーティングや動きなどにより、ＦＰＣとの干渉がない位置にも設けることによっても良い。例えば、押え板４１の代わりにネジ４２のネジ頭をカバーに当接させてもよいし、何かの部品をとめる又は補強目的のネジ、ナット、ピン等の頭をカバーに当接させてもよい。  また、本発明による磁気ディスク装置は、次の形態としても表すことができる。
＜実施形態１＞
磁気ディスクを搭載するスピンドルと、該スピンドルに回転駆動力を与えるスピンドルモータと、前記スピンドルを回転可能に軸受を介して支持するハウジングと、前記磁気ディスクに対する情報の書き込み及び読み出し動作を行なう磁気ヘッドと、該磁気ヘッドを搭載するスライダと、該スライダと連結され該スライダを支持するサスペンション、該サスペンションを支持するキャリッジと、該キャリッジを前記磁気ディスクの径方向に移動自在に案内する軸受と、前記キャリッジに支持されたコイルと、該コイルと対になって前記キャリッジを駆動させる前記ハウジングに支持された磁気回路と、前記ハウジングと対になって密閉性を保つカバーとからなるＨＤＡ（Head Disk Assemblyの略、以下ＨＤＡと呼ぶ）、及び、該ＨＤＡの制御を行なう電子部品と基板とからなるパッケージとを備えた磁気ディスク装置であって、  前記スピンドルとキャリッジの軸受の中心軸部分と、  前記磁気ディスクに対し前記キャリッジと反対側のハウジングと、  前記磁気ディスクに対し前記キャリッジと同じ側で前記スライダが内周にアクセスする方向にあるハウジングと、  前記磁気ディスクに対し前記キャリッジと同じ側で前記スライダが外周にアクセスする方向にあるハウジング／補強部材と、  前記磁気回路の上側ヨークと、前記カバーが当接する構造としたことを特徴とする磁気ディスク装置。
【００２７】
＜実施形態２＞
磁気ディスクを搭載するスピンドルと、該スピンドルに回転駆動力を与えるスピンドルモータと、前記スピンドルを回転可能に軸受を介して支持するハウジングと、前記磁気ディスクに対する情報の書き込み及び読み出し動作を行なう磁気ヘッドと、該磁気ヘッドを搭載するスライダと、該スライダと連結され該スライダを支持するサスペンション、該サスペンションを支持するキャリッジと、該キャリッジを前記磁気ディスクの径方向に移動自在に案内する軸受と、前記キャリッジに支持されたコイルと、該コイルと対になって前記キャリッジを駆動させる前記ハウジングに支持された磁気回路と、前記ハウジングと対になって密閉性を保つカバーとからなるＨＤＡ（Head Disk Assemblyの略、以下ＨＤＡと呼ぶ）、及び、該ＨＤＡの制御を行なう電子部品と基板とからなるパッケージとを備えた磁気ディスク装置であって、  前記スピンドルとキャリッジの軸受の中心軸部分と、  前記磁気ディスクに対し前記キャリッジと反対側のハウジングと、  前記磁気ディスクに対し前記キャリッジと同じ側で前記スライダが内周にアクセスする方向にあるハウジングと、  前記磁気ディスクに対し前記キャリッジと同じ側で前記スライダが外周にアクセスする方向にあるハウジング／補強部材と、前記カバーが当接する構造としたことを特徴とする磁気ディスク装置。
【００２８】
＜実施形態３＞
磁気ディスクを搭載するスピンドルと、該スピンドルに回転駆動力を与えるスピンドルモータと、前記スピンドルを回転可能に軸受を介して支持するハウジングと、前記磁気ディスクに対する情報の書き込み及び読み出し動作を行なう磁気ヘッドと、該磁気ヘッドを搭載するスライダと、該スライダと連結され該スライダを支持するサスペンション、該サスペンションを支持するキャリッジと、該キャリッジを前記磁気ディスクの径方向に移動自在に案内する軸受と、前記キャリッジに支持されたコイルと、該コイルと対になって前記キャリッジを駆動させる前記ハウジングに支持された磁気回路と、前記ハウジングと対になって密閉性を保つカバーとからなるＨＤＡ（Head Disk Assemblyの略、以下ＨＤＡと呼ぶ）、及び、該ＨＤＡの制御を行なう電子部品と基板とからなるパッケージとを備えた磁気ディスク装置であって、  前記磁気ディスクに対し前記キャリッジと反対側のハウジングと、  前記磁気ディスクに対し前記キャリッジと同じ側で前記スライダが内周にアクセスする方向にあるハウジングと、  前記磁気ディスクに対し前記キャリッジと同じ側で前記スライダが外周にアクセスする方向にあるハウジング／補強部材と、  前記磁気回路の上側ヨークの内、何れか一つが前記カバーが当接する構造としたことを特徴とする磁気ディスク装置。
【００２９】
＜実施形態４＞
磁気ディスクを搭載するスピンドルと、該スピンドルに回転駆動力を与えるスピンドルモータと、前記スピンドルを回転可能に軸受を介して支持するハウジングと、前記磁気ディスクに対する情報の書き込み及び読み出し動作を行なう磁気ヘッドと、該磁気ヘッドを搭載するスライダと、該スライダと連結され該スライダを支持するサスペンション、該サスペンションを支持するキャリッジと、該キャリッジを前記磁気ディスクの径方向に移動自在に案内する軸受と、前記キャリッジに支持されたコイルと、該コイルと対になって前記キャリッジを駆動させる前記ハウジングに支持された磁気回路と、前記ハウジングと対になって密閉性を保つカバーとからなるＨＤＡ（Head Disk Assemblyの略、以下ＨＤＡと呼ぶ）、及び、該ＨＤＡの制御を行なう電子部品と基板とからなるパッケージとを備えた磁気ディスク装置であって、  前記スピンドルとキャリッジの軸受の中心軸部分と、  前記磁気ディスクに対し前記キャリッジと反対側のハウジングと、  前記磁気ディスクに対し前記キャリッジと同じ側で前記スライダが内周にアクセスする方向にあるハウジングと、  前記磁気ディスクに対し前記キャリッジと同じ側で前記スライダが外周にアクセスする方向にあるハウジング／補強部材と、  前記磁気回路の上側ヨークの内、少なくとも２つ以上が前記カバーが当接する構造としたことを特徴とする磁気ディスク装置。
【００３０】
＜実施形態５＞
前記実施形態１から４記載の磁気ディスク装置であって、ＰＣＭＣＩＡ（Personal Computer Memory Card Internatinal Association)／ＪＥＩＤＡ(Japan Electronic Industry Development Association)の仕様に適合し、ＰＣカードスロットに挿入して使用すること特徴とする磁気ディスク装置。
【００３１】
＜実施形態６＞
前記実施形態１から４記載の磁気ディスク装置であって、 ＰＣカードスロットに挿入して使用できること特徴とする磁気ディスク装置。
【００３２】
＜実施形態７＞
前記実施形態５と６の磁気ディスク装置であって、装置厚が５ｍｍ以下であること特徴とする磁気ディスク装置。
【００３３】
【発明の効果】
以上述べた如く本発明による磁気ディスク装置は、磁気ディスク上を移動する磁気ヘッドの移動軌跡近傍上のカバーの変形を防止する変形防止手段を設けたことにより、磁気ヘッド等の破損を防止することができる。
【００３４】
また本発明による磁気ディスク装置は、磁気ヘッドの移動軌跡を磁気ディスク外周側に延長した箇所近傍に設けられ、ベースとカバー間を支える第１の補強部材と、前記ベース及びカバーに接してベースとカバー間を支えるスピンドルとを設け、前記第１の補強部材とスピンドルが磁気ディスク上を移動する磁気ヘッドの移動軌跡近傍上のカバーの変形を防止することにより、磁気ヘッド等の破損を防止することができる。
【００３５】
更に本発明による磁気ディスク装置は、前記第１の補強部材の近傍、且つ磁気ヘッドの移動軌跡の円弧頂点を延長した磁気ディスク外周位置に第２の補強部材とを設け、前記第１及び第２の補強部材並びにスピンドルのカバーと接する３点が、磁気ヘッドの移動軌跡上のカバーの変形を防止する様に構成したことにより、磁気ヘッド等の破損を防止することができる。
【００３６】
また本発明による磁気ディスク装置は、前記キャリッジの回転中心となるピボットシャフトがベース及びカバーに接してベースとカバー間を支えること、前記ロータリモータの上面がカバーと接してカバーの変形を防止すること、前記電気回路基板の上部及びカバーに接してカバーの変形を防止する第３の補強部材を設けること、及び磁気ディスクの外周位置でカバーに接してベースとカバー間を支えることにより、カバーの変形を防止する第４の補強部材を設けたことにより、磁気ヘッド等の破損を防止することができる。
【００３７】
従って本発明による磁気ディスク装置は、磁気ヘッド及び磁気ディスクの破損を防止して信頼性の高い、取扱が容易な、使用者の使い勝ってを向上した磁気ディスク装置を提供することができる。
【図面の簡単な説明】
【図１】本発明の一実施形態による磁気ディスク装置の平面断面及び該平面断面図のＢ−Ｂ断面を示す側面断面図。
【図２】図１のＡ−Ａ断面を示す側断面図。
【図３】図２左側の一部拡大図。
【図４】図２右側の一部拡大図。
【図５】図１のＣ−Ｃ断面図。
【図６】本発明の他の実施形態による磁気ディスク装置の平面断面図。
【符号の説明】
１ａ：スピンドル、２：磁気ディスク、３：スピンドルハブ、７：スピンドルシャフト，１ｂ：キャリッジ、８：スライダ、１７：ピボットシャフト、１０：ガイドアーム、２１：ハウジング、２７：カバー、３５：キャリッジの軸受内輪、６０：ピン。
【図１】
0003648312.tif 000002
【図２】
0003648312.tif 000003
【図３】
0003648312.tif 000004
【図４】
0003648312.tif 000005
【図５】
0003648312.tif 000006
【図６】
0003648312.tif 000007